(57)【要約】【課題】自然界を模擬した自然な音と風を発生させて快適性を向上させることのできる送風機及びこれを用いた空気調和機を提供する。【解決手段】風を発生させるファン１０と、ファン１０が発生させた風の向きを調整する風向板３，４，６と、音を再生する音再生手段１１と、ファン１０の駆動に対応して、風切り音を一定周期で揺らがせた気流音を音再生手段１１から再生する制御装置１００と、を備える。気流音は、風向板による風切り音にデジタル処理を施して５秒から３０秒の間の周期で揺らがせた音を用いる。また、上記気流音の再生とともに、使用者の全身に風が送風されるように、上下風向板３，４の向きを調整する。【選択図】図７
2015172477.tif 000002
【特許請求の範囲】
【請求項１】
風を発生させるファンと、
前記ファンが発生させた風の向きを調整する風向板と、
音を再生する音再生手段と、
前記ファンの駆動に対応して、風切り音を一定周期で揺らがせた気流音を前記音再生手段から再生する制御装置と、
を備える送風機。
【請求項２】
前記制御装置は、前記風向板による風切り音にデジタル処理を施して一定周期で揺らがせた音を前記気流音として記憶する記憶手段を備える請求項１に記載の送風機。
【請求項３】
前記気流音は、揺らぎの周期が５秒から３０秒の間の周期である請求項１又は２に記載の送風機。
【請求項４】
前記音再生手段は、前記送風機に設置されたスピーカーである請求項１から請求項３の何れか１項に記載の送風機。
【請求項５】
前記音再生手段は、前記送風機とは別個の携帯型の端末として構成されて成る請求項１から請求項３の何れか１項に記載の送風機。
【請求項６】
前記風向板は、前記ファンの風下側において左右に分割され、前記ファンが発生させた風を上下に吹き分ける一対の上下風向板を含み、
前記上下風向板の一方が一定角度で上方を向いた際に前記上下風向板の他方が同角度で下方を向くように構成されて成る請求項１から請求項５の何れか１項に記載の送風機。
【請求項７】
前記送風機は、運転モードの選択を行う運転モード選択部を備え、
前記制御装置は、使用者を入眠に導く就寝モードが前記運転モード選択部により選択された場合に、前記気流音を前記音再生手段から再生するように構成されてなる請求項１から請求項６の何れか１項に記載の送風機。
【請求項８】
前記送風機が設置された室内にいる使用者の睡眠度合を検知する睡眠度合検知手段をさらに備え、
前記制御装置は、前記就寝モードが選択された場合に、前記睡眠度合検知手段によって検知される睡眠度合に応じて、前記音再生手段から再生する前記気流音を制御するように構成されてなる請求項７に記載の送風機。
【請求項９】
前記制御装置は、前記睡眠度合が深くなった場合に、前記音再生手段からの前記気流音の再生を停止するように構成されてなる請求項８に記載の送風機。
【請求項１０】
前記制御装置は、前記睡眠度合が浅くなった場合に、前記音再生手段から前記気流音を再生するように構成されてなる請求項８又は請求項９に記載の送風機。
【請求項１１】
前記睡眠度合検知手段は、人の体動を検知する人検知センサーを含み、前記体動の頻度によって前記睡眠度合の深浅を検知する請求項８から請求項１０の何れか１項に記載の送風機。
【請求項１２】
請求項１から請求項１１の何れか１項に記載の送風機を備えた空気調和機。
【発明の詳細な説明】
【技術分野】
【０００１】
この発明は、送風機及びこれを用いた空気調和機に関する。
【背景技術】
【０００２】
超音波には人間の快適感を向上させる効果（ハイパーソニック・エフェクト）があることが知られている。特許文献１には、この効果を利用して、使用者の快適性を向上させるようにした空気調和機が開示されている。より詳しくは、この空気調和機では、空気調和機の動作音を快適なものとするために、動作時に２０ｋＨｚ以上１００ｋＨｚ以下の周波数を有する超音波を発生させることとしている。
【０００３】
また、特許文献２〜７には、風向変更板の振り範囲を変化させる空気調和機が提案されている。当該空気調和機によれば、使用者に風が不規則に当たるように風を揺らがせることができる。
【先行技術文献】
【特許文献】
【０００４】
【特許文献１】特開２００４−３７９１号公報
【特許文献２】特開平１０−１１０９９７号公報
【特許文献３】特開２００１−１０８２８０号公報
【特許文献４】特開平６−２６５１６８号公報
【特許文献５】特開平９−１０１８０７号公報
【特許文献６】特開平６−３３１２０４号公報
【特許文献７】特開平７−１２００４４号公報
【発明の概要】
【発明が解決しようとする課題】
【０００５】
特許文献１のものは、可聴域を超えた超音波によるハイパーソニック・エフェクトを利用した技術である。このため、この空気調和機のように送風音に超音波を重ねることとしても、使用者が認識し得る音はあくまでも可聴域の送風音であって、超音波を重ねていない音と何ら変わりはない。つまり、上記特許文献１の技術では、使用者が認識し得る騒音自体は何ら変化しないため、使用者の快適性が向上しないことも十分想定される。
【０００６】
この発明は、上述の課題を解決するためになされたもので、自然界を模擬した自然な音と風を発生させて快適性を向上させることのできる送風機及びこれを用いた空気調和機を提供することを目的とする。
【課題を解決するための手段】
【０００７】
この発明に係る送風機は、風を発生させるファンと、ファンが発生させた風の向きを調整する風向板と、音を再生する音再生手段と、ファンの駆動に対応して、風切り音を一定周期で揺らがせた気流音を音再生手段から再生する制御装置と、を備えるものである。
【０００８】
また、この発明に係る空気調和機は、上記送風機を備えたものである。
【発明の効果】
【０００９】
この発明によれば、ファンの駆動に対応して、風切り音を一定周期で揺らがせた気流音を音再生手段から再生することとしたので、自然界を模擬した自然な音と風を発生させて快適性を向上させることができる。
【図面の簡単な説明】
【００１０】
【図１】この発明の実施の形態１における送風機を備えた空気調和機の正面斜視図である。
【図２】図１に示す空気調和機をＩ断面で切断した縦断面図である。
【図３】この発明の実施の形態１における送風機を備えた空気調和機の電気的な構成を示すブロック図である。
【図４】この発明の実施の形態１における送風機を備えた空気調和機の音発生手段から発生する音の音圧の一例を示す図である。
【図５】この発明の実施の形態１における送風機を備えた空気調和機の音発生手段から発生する音の音圧の一例を示す図である。
【図６】この発明の実施の形態１における送風機を備えた空気調和機の音発生手段から発生する音の音圧の一例を示す図である。
【図７】この発明の実施の形態１における送風機を備えた空気調和機の音による人間の心理作用を多変量解析した概略図である。
【図８】この発明の実施の形態１における送風機を備えた空気調和機から吹き出す風の人体への当り方を示す図である。
【図９】この発明の実施の形態１における送風機を備えた空気調和機の風による人間の心理作用を多変量解析した概略図である。
【図１０】この発明の実施の形態１における送風機を備えた空気調和機の風による人間の生理作用を示す概略図である。
【図１１】この発明の実施の形態１における送風機を備えた空気調和機の風と音による人間の心理作用を多変量解析した概略図である。
【図１２】この発明の実施の形態２における送風機を備えた空気調和機において実行されるルーチンのフローチャートである。
【図１３】この発明の実施の形態２における送風機を備えた空気調和機の音による人間の心理作用を多変量解析した概略図である。
【発明を実施するための形態】
【００１１】
以下、図面を参照してこの発明を実施するための形態について説明する。なお、各図中において、同一又は相当する部分には同一の符号を付して、重複する説明は適宜に簡略化ないし省略する。
【００１２】
実施の形態１．
図１は、この発明の実施の形態１における送風機を備えた空気調和機の正面斜視図である。また、図２は、図１に示す空気調和機をＩ断面で切断した縦断面図である。
【００１３】
図１または図２に示すように、本実施の形態の送風機を備える空気調和機は、室内に設置される本体１を備えている。本体１の前面の上部は前面パネル２に覆われている。前面パネル２の下方には、円弧状の断面を有する上下風向板３ａ，３ｂが設けられている。上下風向板３ａ，３ｂは、後述するファン１０の風下側に配置されており、空気調和機の正面に向かって長手方向（空気吹出口５の左右方向）のほぼ中央部において僅かな隙間を隔てて左右に分割されている。
【００１４】
また、上下風向板３ａ，３ｂの下方には、円弧状の断面を有する上下風向板４ａ，４ｂが設けられている。上下風向板４ａ，４ｂは、上下風向板３ａ，３ｂよりも空気調和機の奥側且つ後述するファン１０の風下側に配置されており、上下風向板３ａ，３ｂと同様に、空気調和機の正面に向かって長手方向（空気吹出口５の左右方向）のほぼ中央部において僅かな隙間を隔てて左右に分割されている。
【００１５】
上下風向板３ａ、３ｂおよび４ａ、４ｂの互いの対向部には、支持腕（図示せず）が設けられている。支持腕には、ピン（図示せず）を介して支柱（図示せず）が回転自在に取り付けられている。上下風向板３ａ、３ｂおよび４ａ、４ｂの互いの対向部の反対側には、支持軸（図示せず）が設けられている。支持軸は、空気吹出口５の側壁の軸受（図示せず）に着脱自在に支持されている。各支持軸は、モータの駆動により独立して回転し得るように設けられている。
【００１６】
上下風向板３ａ、３ｂおよび４ａ、４ｂの奥側には、左右風向板６が設けられている。左右風向板６は、空気調和機の正面に向かって長手方向（空気吹出口５の左右方向）に渡って配置されている。
【００１７】
前面パネル２の下部の中央には、人検知センサー７が設けられている。人検知センサー７は、縦方向に並べた複数のサーモパイルを横方向に動かしてスキャニングする機能を備えている。なお、人検知センサー７は、本体１の左側又は右側端部に設けられる場合もある。
【００１８】
ここで、人検知センサー７についてさらに詳しく説明する。人検知センサー７は、複数の熱画像をスキャニングによって取得し、背景との温度差から人体の存在有無、更には肌の露出部と非露出部を検知する機能を備えている。また、人検知センサー７は、体感温度を検知する体感温度センサーとしても機能する。この場合、肌が露出されている人体ほど体感温度を検出しやすい。また、人検知センサー７は画素数が多いほど検出精度が高い。このため、このような高精度のセンサーであれば人体の位置と本体１からの距離を検知するセンサーとしても機能する。例えば、７００画素の画素数を有する人検知センサーであれば、部屋内の人体の位置を明確に把握することができる。
【００１９】
なお、人を検知するための構成はサーモパイルを有する人検知センサー７に限られない。すなわち、例えば、画素数の高いカメラ等を用いて人体の位置を見分けることとしてもよい。また、検出精度は下がるが、フレネルレンズを用いた焦電センサーを用いて人体の存在する領域又は人体の位置（横方向、奥行き方向）を見分けることとしてもよい。
【００２０】
再び図２に戻り、空気吸込口８の下方には熱交換器９が設けられている。熱交換器９の下方には、ファン１０が設けられている。ファン１０は、ファンモータ（図示せず）に回転駆動され得るように設けられている。ファン１０が駆動されると、空気吸込口８から吸い込まれた空気が空気吹出口５から吹き出される。この際、ファン１０の風下側に配置された上下風向板３ａ，３ｂ，４ａ，４ｂおよび左右風向板６は、空気吹出口５から吹き出される風の方向を調整する。
【００２１】
本体１の内部には音再生手段１１が設けられている。音再生手段１１は、例えばスピーカー等によって構成される。なお、音再生手段１１の配置は特に限定されない。
【００２２】
図３は、この発明の実施の形態１における送風機を備えた空気調和機の電気的な構成を示すブロック図である。制御装置１００は、後述するリモコン２００からの指示または温度センサー、湿度センサーまたは圧力センサー等の図示省略の各種センサーからの計測情報に基づいて、ファン１０、上下風向板３ａ，３ｂ，４ａ，４ｂ、及び左右風向板６の運転を制御する他、本体１の動作全般を制御するものである。なお、制御装置１００は、その機能を実現する回路デバイスのようなハードウェアで構成することもできるし、また、マイコンまたはＣＰＵのような演算装置と、その上で実行されるソフトウェアとにより構成することもできる。
【００２３】
リモコン２００は、使用者から指示された送風、空調条件を設定して、これらの条件に対応した信号を本体１に送信するものである。リモコン２００から送信された信号は、本体１によって受信される。なお、リモコン２００に表示部が設置されている場合には、本体１から送られる信号を受信することによって、現在の送風、空調条件等が表示部に表示される。また、後述する気流音が使用者の選択によって再生可能になっている場合には、リモコン２００に気流音の再生を指示するための気流再生ボタンを設置しておくとよい。
【００２４】
また、制御装置１００は、音響信号処理／発生手段３００と、記憶手段４００と、を有している。音響信号処理／発生手段３００は、基準となる基準気流音にデジタル信号処理を施し、一定周期の揺らぎをもたせた気流音を創出するものである。記憶手段４００は、不揮発メモリーであり、音響信号処理／発生手段３００によって創出された気流音データを記憶するものである。なお、ここでいう気流音とは、ファン１０が駆動されたときに上下風向板３，４または左右風向板６に空気が衝突して生成される風切り音を意味している。
【００２５】
基準気流音には空気吹出口５の正面で録音されたシャープネス値 0.6〜1.0 [acum]の音等が使用される。なお、一定周期の揺らぎをもたせた気流音は、音響信号処理／発生手段３００において基準気流音から創出することとしてもよいし、また、別途創出したものを予め記憶手段４００に記憶しておくこととしてもよい。この場合、例えば種々の周期及び振幅の気流音を予め記憶手段４００に記憶しておき、リモコン２００の操作によって使用者が発生させる気流音を選択することとしてもよい。
【００２６】
制御装置１００は、ファン１０の駆動に対応して、音響信号処理／発生手段３００によって創出された気流音、すなわち記憶手段４００に記憶されているデジタル処理後の気流音を音再生手段１１によって再生する。一定周期の揺らぎをもたせた気流音は、自然界を模擬した自然な音と認識されるので、快適性を向上させることができる。
【００２７】
図４から図６は、この発明の実施の形態１における送風機を備えた空気調和機の音響信号処理／発生手段から発生する音の音圧の一例を示す図である。なお、この気流音は、送風機を備えた空気調和機の空気吹出口５の正面０．１５ｍの位置で測定した基準気流音を加工したものである。このとき使用される基準気流音は、平均周波数１Ｈｚ以下の中に高周波を含む波形となっており、高周波は１分間に１０〜２０回程度の振動を繰り返すものとなっている。
【００２８】
図４は、気流音の揺らぎ周期を１０秒とし、揺らぎの振幅（音圧値の最大と最低の差）を５ｄＢとしたときの音圧波形である。また、図５は、気流音の揺らぎ周期を１０秒とし、揺らぎの振幅（音圧値の最大と最低の差）を１５ｄＢとしたときの音圧波形である。さらに図６は、気流音の揺らぎ周期を５秒とし、揺らぎの振幅（音圧値の最大と最低の差）を１５ｄＢとしたときの音圧波形である。なお、これらの図では縦軸が音圧を示し横軸が時間を示している。
【００２９】
音響信号処理／発生手段３００は、上述したような種々の揺らぎ周期の気流音を発生させることができるが、自然性の向上の観点からは、揺らぎ周期が５秒を超え３０秒より小さいことが好ましい。このことを、以下に実例を挙げて説明する。
【００３０】
図７は、この発明の実施の形態１における送風機を備えた空気調和機の音による人間の心理作用を多変量解析した概略図である。この図に示す評価では、図４〜図６に示すような波形の音をヘッドホンで繰り返し再生し被験者に聞かせ、そのときＳＤ法にて７段階評価を実施した。評価音は、図４〜図６に示す音の他に、揺らぎ周期が５秒、１０秒、２０秒、３０秒、揺らぎの振幅が５ｄＢ、１０ｄＢ、１５ｄＢで変化させた組み合わせによる１２音源を用いた。
【００３１】
図７では、自然因子と静穏因子の因子得点を示している。横軸は自然因子を、縦軸は静穏因子を示している。自然因子は、自然な感覚が強いときに高い値となり、人口的な感覚が強いときに低い値となる。同様に静穏因子も、穏やかな感覚が強いときに高い値となり、逆に荒々しい感覚が強いときに低い値となる。どちらでもないときは、０となる。図７に示す結果では、自然因子は、実線の丸で囲んだ揺らぎの周期が１０秒、２０秒のときに高く、他は周期では低いことが分かる。以上の結果から、自然性向上のためには、最適な揺らぎの周期が存在し、具体的には１０〜２０秒の周期が好ましく、５秒及び３０秒の周期は好ましくないことが分かる。従って、本実施の形態における送風機を備えた空気調和機では、揺らぎの周期が５秒を超え３０秒より小さい周期が最もよいことが分かる。
【００３２】
また、音再生手段１１は、図２に示すように本体１の前面に設置してもよいが、本体１とは別体として、本体１とは別の場所に設置してもよい。また、音再生手段１１の個数を特に限定するものではない。音再生手段１１を複数設置する場合には、本体１と本体１の外部のそれぞれに設置するようにしてもよく、本体１のみ、本体１の外部のみに設置するようにしてもよい。さらに、音再生手段１１の大きさも特に限定するものではない。
【００３３】
なお、音再生手段１１を本体１の外部に設置する場合、別体の設置場所に困る場合がある。そこで、例えば、音再生手段１１を携帯型の端末のスピーカーで兼用することとしてもよい。この場合、例えば、使用者が所持している携帯端末にアプリケーションをインストールして実行することにより、気流音を再生することが可能である。
【００３４】
さらに、本実施の形態の送風機を備える空気調和機においては、上述した気流音の発生に合わせて、上下風向板３ａ、３ｂ、４ａ、４ｂを動作させて、自然界を模擬した自然な風を発生させることとしてもよい。図８は、この発明の実施の形態１における送風機を備えた空気調和機から吹き出す風の人体への当り方を示す図である。図８に示すように、家庭のリビング、オフィス、店舗等の部屋の壁には、送風機を備えた空気調和機の室内機の本体１が設けられる。図８に示すように、ある時点で、左側の上下風向板３ａ、４ａが図１のように一定角度で上方を向いている際に右側の上下風向板３ｂ、４ｂは図１のように同角度で下方を向くようにする。この場合、上下風向板３ａ、４ａは、床面とほぼ水平の方向に向く。上下風向板３ａ、４ａは、人体の顔に向く場合もある。これに対し、上下風向板３ｂ、４ｂは、人体の足元付近に向く。その結果、空気吹出口５からの気流が人体の全身に当たる。なお、本動作は、左右が逆でもよく、時折左右の角度が逆転してもよい。また、人検知センサー７によって検知された人体の位置に基づいて、上下風向板３ａ、４ａを人体の顔に向け、上下風向板３ｂ、４ｂを人体の足元付近に向けることとしてもよい。これにより、使用者は、自然界を模擬した自然な風を認識することができるので、上述した自然界を模擬した自然な音と相まって快適性がさらに向上する。以下、この効果の解析結果について実例を挙げて説明する。
【００３５】
図９は、この発明の実施の形態１における送風機を備えた空気調和機の風による人間の心理作用を多変量解析した概略図である。また、図１０は、この発明の実施の形態１における送風機を備えた空気調和機の風による人間の生理作用を示す概略図である。図９及び図１０に示す評価では、空気調和機から送風される風を人体に当てる部位を変えて評価した。風当て部位は、部分刺激として顔、胴とし、全体刺激として全身の３種類とした。風速は、部分刺激が顔位置で１．５ｍ／ｓ、胴位置で１．６ｍ／ｓ、全体刺激が 顔位置で１．１ｍ／ｓ、胴位置で０．６ｍ／ｓ、足位置で０．５ｍ／ｓである。室内環境は、夏場を想定して、室温２７〜２８℃、湿度４５〜５０％一定とした。被験者は、２０代１２ 名である。着衣条件は半袖半ズボンの０．３ｃｌｏに統一し、耳当てを装着して送風音を遮断した。高さ１．５ｍに設置した空気調和機の前方１．８ｍに被験者を着座させ、３分後と１５分後に評価を実施した。評価は、対義語となる形容詞対複数個を用いてＳＤ法にて７段階評価を実施した。また、上記評価と同時に、心電計測による心電波形により、交感神経と副交感神経の優位差の検討に有効であるＬＦ／ＨＦを用いて快適性を評価した。
【００３６】
図９では、快適因子と自然因子の因子得点を示している。横軸は快適因子を、縦軸は自然因子を示している。快適因子は、快い感覚が強いときに高い値となり、逆に不快な感覚が強いときに低い値となる。同様に自然因子も、自然な感覚が強いときに高い値となり、人口的な感覚が強いときに低い値となる。どちらでもないときは、０となる。その結果、時間経過における快適性および自然性の印象変化は、風当て部位によって異なる。全体刺激である全身は最も快適性および自然性が高い。さらに時間経過により自然性は増加し、快適性は維持される。
【００３７】
図１０では、棒グラフに心電波形から得られたＬＦ／ＨＦの時間変化、折線グラフにＳＤ法における７段階評価の中の快適感の時間変化を示している。全身は最もストレス負荷が低く、部分刺激は図９と異なり、胴の方が顔よりもストレス負荷が高い。このことから、送風が肌に直接当たる面積が大きいほどストレス負荷が低いと推定できる。
【００３８】
図１１は、この発明の実施の形態１における送風機を備えた空気調和機の風と音による人間の心理作用を多変量解析した概略図である。図１１に示す評価では、送風機から送風される風を人体の全身に当て、気流音を揺らがせた音を追加で付与した。風当て部位は、全身とし、風速は、顔位置で１．１ｍ／ｓ、胴位置で０．６ｍ／ｓ、足位置で０．５ｍ／ｓである。室内環境は、夏場を想定して、室温２７〜２８℃、湿度４５〜５０％一定とした。被験者は、２０代１２名である。着衣条件は半袖半ズボンの０．３ｃｌｏに統一した。高さ１．５ｍに設置した送風機の前方１．８ｍに被験者を着座させ、３分後に評価を実施した。評価は、対義語となる形容詞対複数個を用いてＳＤ法にて７段階評価を実施した。なお、図１１中の矢印の根本側が、気流音を揺らがせた音を追加で付与していない場合、つまり、送風の風のみの場合である。また、図１１中の矢印の先端側が気流音を揺らがせた音を付与した場合である。評価は、扇風機の場合、空気調和機で揺らぎがない風を送風した場合、及び空気調和機で一定の揺らぎの周期の風を送風した場合の３種において、それぞれに気流音を揺らがせた音を追加で付与した場合と付与しない場合を評価した。なお、図１１の横軸は自然因子を、縦軸は静穏因子を示している。自然因子は、自然な感覚が強いときに高い値となり、人口的な感覚が強いときに低い値となる。同様に静穏因子も、穏やかな感覚が強いときに高い値となり、逆に荒々しい感覚が強いときに低い値となる。どちらでもないときは、０となる。但し、図１１では見易さの観点から縦軸の静穏因子を０．３〜−０．３とした。
【００３９】
図１１では、風のみでも扇風機よりも空気調和機のほうが、自然性、静穏性ともよく、空気調和機でも、一定風よりも揺らぎ風のほうが自然性、静穏性ともよいことが分かる。さらに、これに気流音を揺らがせた音を追加することで、静穏性はやや減少するが、自然性が高まる。特に揺らぎ風を追加することで自然性が最も高い結果となった。静穏因子は、最も強いときに１．５、逆に荒々しい感覚が最も強いときに−１．５となるため、図１１では、−０．３〜０．３の間で変動しており、大きな差はないと考えられる。従って、揺らぎ風に揺らぎ音を付与することで、より自然性が増加するといえる。
【００４０】
以上説明したとおり、本実施の形態の送風機を備える空気調和機によれば、ファン１０が駆動された場合に、一定周期の揺らぎをもたせた気流音を発生させることとしたので、自然界を模擬した自然な音と風を発生させて快適性を向上させることができる。
【００４１】
また、本実施の形態の送風機を備える空気調和機によれば、風向板で発生する基準気流音にデジタル信号処理を施して、一定周期の揺らぎを持たせた気流音を発生させることができるので、さらに自然性を増すことができる。
【００４２】
また、本実施の形態の送風機を備える空気調和機によれば、上下風向板３ａ、４ａと上下風向板３ｂ、４ｂとを駆動して上下に送風を振り分けることにより、自然界を模擬した気流を発生させることができる。
【００４３】
また、本実施の形態の送風機を備える空気調和機によれば、左側の上下風向板３ａ、４ａが一定角度で上方を向いている際、右側の上下風向板３ｂ、４ｂは同角度で下方を向く。また、左側の上下風向板３ａ、４ａが一定角度で下方を向いている際には、右側の上下風向板３ｂ、４ｂは同角度で上方を向く。このため、体全身で感じる気流を発生させることができる。
【００４４】
また、本実施の形態の送風機を備える空気調和機によれば、本体１とは別体の携帯型の端末により、気流音を発生させることもできるので、本体１に音再生手段１１を設置する必要がなく、安価で実現可能となる。
【００４５】
実施の形態２．
本発明に係る実施の形態２は、実施の形態１において示したハードウェア構成を用いて、制御装置１００に後述する図１２に示すルーチンを実行させることにより実現することができる。
【００４６】
実施の形態２の送風機を備える空気調和機では、使用者の睡眠度合に応じて音再生手段１１から再生する気流音を制御する点に特徴を有している。リモコン２００には、運転モードの選択を行うためのモードスイッチが用意されている。つまり、リモコン２００は、運転モードを選択する運転モード選択部として機能する。運転モードには、使用者を入眠に導くための就寝モードが含まれている。使用者によって就寝モードが選択されると、使用者の睡眠度合に応じて音再生手段１１から再生する気流音が制御される。より詳しくは、使用者の睡眠度合が浅い場合には音再生手段１１から気流音を再生し、使用者の睡眠度合が深い場合には音再生手段１１から再生する気流音を停止することが行われる。なお、再生する気流音は、上記実施の形態１において説明した気流音と同様に、一定周期の揺らぎをもたせた気流音である。これにより、使用者の眠りが浅い場合には、使用者を入眠に導くことができ、また、使用者の眠りが深くなった場合には、不要な音再生を停止することが可能となる。
【００４７】
なお、使用者の睡眠度合は、例えば人検知センサー７を用いて検知することができる。つまり、人検知センサー７は、睡眠度合検知手段として機能する。人検知センサー７は、使用者の体動を検知することができる。一般的に体動の頻度が多いほど眠りが浅い傾向にある。そこで、本実施の形態の装置では、設定時間中の体動の回数を人検知センサー７により検知し、検知された体動の回数が閾値よりも多い場合には眠りが浅いと判断し、反対に体動の回数が少ない場合には眠りが深いと判断することとする。なお、閾値は、眠りが浅いか又は深いかを判定するために１つの閾値を設定してもよいし、また、眠りが浅いか、浅いと深いの中間か、それとも深いかを判定するために２つの閾値を設定してもよい。このように、本実施の形態の睡眠度合検知手段によれば、体動の頻度に応じて睡眠度合の深浅を検知することが可能となる。
【００４８】
次に、フローチャートを用いて、実施の形態２における送風機を備えた空気調和機によって実行される具体的処理について説明する。図１２は、この発明の実施の形態２における送風機を備えた空気調和機において実行されるルーチンのフローチャートである。
【００４９】
先ず、ステップＳ１では、使用者がリモコン２００のスイッチを入れ、環境条件及び温度等を設定する。環境条件の設定では、例えば、上述した運転モードの選択が行われる。ここでは、上述した就寝モードが選択されたとして、以下の処理を説明する。次に、ステップＳ２では、人検知センサー７が稼動されて、室内にいる人がセンシングされる。より詳しくは、人検知センサー７は、どこに使用者がいるか、またそれと同時にその使用者の状態が横になっているのか、それとも座っているか等を検知する。
【００５０】
次に、ステップＳ３では、人検知センサー７によって検知された情報と、選択された運転モード情報に基づいて、制御方法が決定される。制御方法は、上述した実施の形態１における送風機及び風向板の制御方法と同様である。その後、ステップＳ４では、音再生手段１１から、一定周期の揺らぎをもたせた気流音が再生される。再生する気流音は、上述した実施の形態１の装置の気流音と同様である。
【００５１】
次に、ステップＳ５では、人検知センサー７により、使用者の睡眠度合が判定される。ここでは、具体的には、人検知センサー７によって検知される体動の頻度によって、使用者の眠りが深いか浅いかが判定される。その結果、体動が多いときには使用者の眠りが浅いと判断されて、再度ステップＳ４に戻って気流音の再生が継続される。一方、体動が少ないときには使用者の眠りが深いと判断されて、次のステップＳ６に移行し、音再生手段１１からの気流音の再生が停止される。これにより、使用者は、眠りが浅いときには、音再生手段１１からの音を聞きながら入眠することができるので、使用者の入眠時の快適性を向上させることが可能となる。
【００５２】
図１３は、この発明の実施の形態２における送風機を備えた空気調和機の音による人間の心理作用を多変量解析した概略図である。この図に示す評価では、就寝時の使用者の枕元に設置したスピーカーから音を出し、２０代男女１２名でＳＤ法にて７段階評価を実施した。
【００５３】
図１３では、入眠因子と爽快因子の因子得点を示している。横軸は入眠因子を、縦軸は爽快因子を示している。入眠因子は、目覚める感覚が強いときに低い値となり、逆に眠い感覚が強いときに高い値となる。どちらでもないときは、０となる。同様に爽快因子も、音のうっとうしさが強いときに低い値となり、さわやかさが強いときに高い値となる。図１３に示す結果では、揺らぎ音を与えたときは、一定の音よりも眠気、さわやかさが大きいことがわかる。したがって、揺らぎ音を聞きながら眠りにつくことで、無音又は一定の音よりも入眠しやすく、さらにさわやかに眠ることができる。
【００５４】
ところで、上述した実施の形態２では、睡眠度合を浅い眠りと深い眠りの２段階で評価し、浅い眠り時に音の再生を実施し、深い眠り時に停止する制御とした。しかしながら、睡眠度合の評価は２段階に限らず、３以上の数段階で評価してもよい。この場合、例えば眠りが浅いと判定された場合には音再生手段１１から一定周期の揺らぎをもたせた気流音を再生し、眠りが浅い場合と深い場合との中間であると判定された場合には一定の音を再生し、さらに眠りが深いと判定された場合には音を停止すればよい。このように，音再生手段１１から眠りの深さに応じた音を再生することで，より快適に就寝することが可能となる。
【００５５】
また、本実施の形態の送風機を備える空気調和機においては、上述した気流音の発生に合わせて、上下風向板３ａ、３ｂ、４ａ、４ｂを動作させて、自然界を模擬した自然な風を発生させることとしてもよい。この場合、眠りに就きたい使用者に直接風を当てると就寝を妨げることとなるため、上下風向板３ａ、３ｂ、４ａ、４ｂは上方を向け、使用者には風を直接当てない風の流れを作り出すことが好ましい。
【００５６】
以上説明したとおり、本実施の形態の送風機を備える空気調和機によれば、予めリモコン２００に登録されたモードスイッチによって就寝モードを選択することで、音再生手段から制御装置による気流音を再生し、使用者の入眠を誘導することができる。これにより、使用者に不快感を与えず、快適及び爽快感を与えることができるので、使用者に快適な睡眠環境を提供することができる。
【産業上の利用可能性】
【００５７】
この発明に係る送風機及びこれを用いた空気調和機は、例えば、家庭のリビング、オフィス、店舗等の各種空気調和装置、空気清浄機、送風機に搭載することができ、エレベータ、ダクト等にファンを設けることでも搭載することができる。
【符号の説明】
【００５８】
１  本体、  ２  前面パネル、  ３ａ，３ｂ  上下風向板、  ４ａ，４ｂ  上下風向板、  ５  空気吹出口、  ６  左右風向板、  ７  人検知センサー、  ８  空気吸込口、  ９  熱交換器、  １０  ファン、  １１  音再生手段、  １００  制御装置、  ２００  リモコン、  ３００  音響信号処理／発生手段、  ４００  記憶手段
【図１】
2015172477.tif 000003
【図２】
2015172477.tif 000004
【図３】
2015172477.tif 000005
【図４】
2015172477.tif 000006
【図５】
2015172477.tif 000007
【図６】
2015172477.tif 000008
【図７】
2015172477.tif 000009
【図８】
2015172477.tif 000010
【図９】
2015172477.tif 000011
【図１０】
2015172477.tif 000012
【図１１】
2015172477.tif 000013
【図１２】
2015172477.tif 000014
【図１３】
2015172477.tif 000015